(57)【特許請求の範囲】
【請求項１】
冷蔵庫本体内に第１の区画壁によって上下段に形成され上段を冷蔵室とするとともに、下段は左右に区画する第２の区画壁によって各々冷凍室と製氷室とに区画され、冷蔵室を除いた室は引出し扉を備え、製氷室内に自動製氷装置と貯氷箱を設置した冷蔵庫であって、前記第２の区画壁に、前記自動製氷装置の上板の側壁に設けた導入孔に相対向した位置に仕切板より第１の吐出孔を設け、且つもう一方製氷室内の貯氷箱と、その下の容器との間へ冷気を吐出する第２の吐出孔を仕切板より一体に設けたことを特徴とする冷蔵庫。
【請求項２】
自動製氷装置の上板の側壁に設けた導入孔の下部に冷気を誘導させる突出リブ片を上板から一体に形成したことを特徴とする請求項１に記載の自動製氷機付き冷蔵庫。
【請求項３】
自動製氷装置内において製氷皿に水を注ぐ給水パイプを前記上板の上方後部に配設し、その近傍にパイプ先端への冷気当たり防止リブを上板から一体に設けたことを特徴とする請求項１または２に記載の自動製氷機付き冷蔵庫。
【発明の詳細な説明】
【０００１】
【発明の属する技術分野】
本発明は、自動製氷装置付き冷蔵庫に関するものである。
【０００２】
【従来の技術】
図１０，図１１は例えば、実公昭５２−１８７５５号公報又は特開平６−３１７３７０号公報に示されている従来の自動製氷装置付き冷蔵庫の要部を示したものである。１は冷蔵庫本体、２は冷凍室、３は冷凍室２の扉。４は自動製氷装置、５はこの装置で作った氷を貯えておく貯氷箱である。
【０００３】
６は製氷皿であり、この製氷皿６を駆動する駆動装置７を有している。駆動装置７には貯氷箱５の貯氷量を検出する検氷レバー８が設けられ、製氷皿６内に氷のできあがったら検氷レバー８が動作し、貯氷箱５内の貯氷量が所定量以下であるか検知を行い、所定量以下であれば製氷皿６を回転させ離氷動作に入る構造となっている。
【０００４】
９は上下に区画する区画壁である。１０は区画壁に配置した冷却器、１１は冷凍室２，冷蔵室１２へ冷気を循環させるファンである。１３は冷凍室への通風ダクトで一部自動製氷装置４の製氷皿６へ導入させる吐出口１３ａが設けられている。
【０００５】
次に冷気の流れについて説明すると、ファン１１で送風された冷気は一部は、通風ダクト１３を通過し、一部は冷凍室２内へ、一部は吐出口１３ａから製氷皿６の後方から前方へ冷気が通過し自動製氷装置４内を通って区画壁９の冷却器１０を介してファン１１へ帰還する。もう一方は通風ダクトを通り冷蔵室１２内へ吐出し区画壁９の冷却器１０を介して、ファン１１へ帰還する。
【０００６】
【発明が解決しようとする課題】
しかしながら上記の構成では、特に近年の冷蔵庫の大容量にあって据付けスペースの制約又マンション等の設置で、冷蔵庫本体１の奥行寸法を浅くし、食器棚やシステムキッチンの奥行き範囲内に設置され前面に飛び出すことがないのでキッチン内のインテリア性を高め、人の移動の邪魔にならない冷蔵庫が主流となってきているという背景に対しては、標準化された自動製氷装置を冷蔵庫内に配置し、製氷内へ冷気を取入れる構造が後方からである為冷蔵庫の奥行寸法を浅くできないとか、浅い奥行寸法の商品に取り付ける事ができないという欠点があった。
【０００７】
更に製氷皿６への冷気が後からの取り入れの為、製氷皿６前後の製氷スピードにバラツキが生じるという欠点もあった。
【０００８】
本発明は従来の課題を解決するもので、他機種に共用化される自動製氷装置を、冷蔵庫の奥行方向に配置し従来の製氷装置内への冷気取り入れ口を奧面から横側面風路にすることにより奥行寸法の浅い冷蔵庫内でも自動製氷装置の収納が図れる。又自動製氷装置への横風路の為製氷皿前後に均一に冷気が流れる為の製氷にバラツキがなく製氷スピードの向上が図れることを目的としている。
【０００９】
【課題を解決するための手段】
本発明の請求項１に記載の発明は、冷蔵庫本体内に第１の区画壁によって上下段に形成され上段を冷蔵室とするとともに、下段は左右に区画する第２の区画壁によって各々冷凍室と製氷室とに区画され、冷蔵室を除いた室は引出し扉を備え、製氷室内に自動製氷装置と貯氷箱を設置した冷蔵庫であって、前記第２の区画壁に、前記自動製氷装置の上板の側壁に設けた導入孔に相対向した位置に仕切板より第１の吐出孔を設け、且つもう一方製氷室内の貯氷箱と、その下の容器との間へ冷気を吐出する第２の吐出孔を仕切板より一体に設けたものであり、各製氷部でバラツキなくほぼ同時に製氷できるので製氷時間を短縮することができ、使い勝手がよいとともに、製氷室内を上下からの冷気で適切に循環され室内の温度ムラのない適切な温度に維持できる。
【００１３】
請求項２に記載の発明は、請求項１に記載の発明において、自動製氷装置の上板の側壁に設けた導入孔の下部に冷気を誘導させる突出リブ片を上板から一体に形成したもので、吐出される冷気を確実に製氷皿へ導くことができる。
【００１６】
請求項３に記載の発明は、請求項１または２に記載の発明において、製氷皿に水を注ぐ給水パイプを前記上板の上方後部に配設し、その近傍にパイプ先端への風当たり防止リブを上板から一体に設けたもので、製氷皿へ給水させる給水パイプを前記上板の上方後部に位置し、そのパイプ近傍に冷風当り防止リブを前記上板から一体に設ける為、横風路から導入した冷気が、前記リブに遮断され直接給水パイプ先端に当たることがないのでパイプ先端に氷結等を発生させることがない自動製氷装置が提供できる。
【００２０】
【発明の実施の形態】
以下、本発明による自動製氷装置付き冷蔵庫の実施の形態について、図面を参照しながら説明する。
【００２１】
（実施の形態１）
図１は、本発明の実施の形態１による自動製氷装置付き冷蔵庫の斜視図である。図２は、同実施の形態１の自動製氷装置の分解斜視図である。図３は、同実施の形態１の冷蔵庫の正面図である。図４は、図３のＢ−Ｂ線断面図。図５は、図３のＣ−Ｃ線断面図。図６は、同実施の形態１の蓋体と自動製氷装置を示す側面図である。図７は、図３のＤ−Ｄ線断面図である。図８は、図７のＥ−Ｅ線断面図である。
【００２２】
図１から図８においては、１４は冷蔵庫本体である。１５は冷蔵庫本体１４内を上下に断熱区画する第１の区画壁であり、前記第１の区画壁１５の上部に上部区画１６，下部に下部区画１７を形成し上部区画１６を冷蔵室としている。
【００２３】
１５ａは第１の区画壁１５に形成した蓋体である。蓋体１５ａには各々係止片１５ｂが形成している。１８は前記下部区画１７内を左右に区画する第２の区画壁である。１９は第２の区画壁１８により一側に形成された冷凍室、２０は他側に形成された製氷室である。
【００２４】
そして、前記冷凍室１９，製氷室２０の開口面に開閉自在に取り付けられた引き出し扉２１，２２が設けている。２３は製氷室２０内の上面に位置する自動製氷装置であり、２４は製氷皿２５を駆動する駆動装置である。２６は前記駆動装置２４を保持しコ字状の枠体に形成された上板である。
【００２５】
前記製氷皿２５は、一方を駆動装置２４に嵌合され、他方を上板２６に設けた支持穴２６ａに回転自在に挿入され取り付けられている。上板２６の側壁２６ｂには、製氷皿２５へ冷気を導入する導入孔２６ｃが横並びに数箇所設けている。
【００２６】
前記導入孔２６ｃは製氷皿２５の縦一列にある各々の製氷部の個数に対応した数だけ設けられていてもよい。図２の場合、縦一列に６個あるので、前記導入孔２６ｃはそれぞれの製氷部に対応して６個設けられている。
【００２７】
また、前記導入孔２６ｃの下部には冷気を前記製氷皿２５へ誘導させる突出リブ片２６ｄが形成されている。２６ｅは上板２６から形成し前後に設けた爪であり、２７は製氷皿２５の下方に配置した貯氷箱である。２８は、駆動装置２４に設けられた貯氷箱２７内の氷の量を検出する検氷レバーである。
【００２８】
下部区画１７内を左右に区画する第２の区画壁１８には各々冷気の吐出孔１８ａ、吸込み孔１８ｂが形成している。
【００２９】
２９は、第２の区画壁１８の製氷室２０側に取付けられる冷気を通す仕切り板である。前記仕切り板２９には各々上方に、前記自動製氷装置２３の上板２６ｂに形成した導入孔２６ｃに相対向するように横並びに数個所の第１の吐出孔２９ａを形成し、一方下方に別の第２の吐出孔２９ｂを一体に形成している。
【００３０】
３０は、貯氷箱２７の下部に配置した下部容器である。
【００３１】
３１は給水パイプであり、前記上板２６の上方後部に設けた支持穴２６ｆに支持されている。２６ｇは、給水パイプ３１の近傍に上板２６より一体に設けた冷気当り防止リブである。
【００３２】
３２は、冷凍室１９内の背面を覆う前板で、その中に冷却器３３，送風ファン３４を備えている。
【００３３】
３５ａは前記第２の区画壁１８の吐出孔１８ａへ冷気を誘導する第１の冷気通路である。３５ｂは前記第２の区画壁１８内に設けられ第２の吐出孔２９ｂに連通する第２の冷気通路である。３６，３７は各々前板３２から一体に形成した吐出穴、吸い込み穴である。
【００３４】
以上の様な構成された自動製氷装置付き冷蔵庫について説明する。
【００３５】
製氷室２０の上面には、コ字状の枠体に形成された上板２６に配置される駆動装置２４，製氷皿２５，検氷レバー２８を備えた自動製氷装置２３が、第１の区画壁１５の蓋体１５ａに設けた係止片１５ｂに上板２６の爪２６ｅが嵌合され取付けられる。
【００３６】
また、下部区画１７内を左右に区画する第２の区画壁１８には、製氷室２０内側に自動製氷装置２３と相対向する様に仕切り板２９が取り付けられている。その時仕切り板２９の第１の吐出孔２９ａは、自動製氷装置２３に備えた上板２６の側壁２６ｂに設けた導入孔２６ｃ及び突出リブ片２６ｄと相対向する位置となる。
【００３７】
又仕切り板２９の下方に設けた第２の吐出孔２９ｂは、製氷室２０の貯氷箱２７と下部容器３０の間に位置する。この様な構成において冷却器３３で冷却された冷気が送風ファン３４で一部前板３２から冷凍室１９内へ吐出され、所定の温度に冷却される。
【００３８】
もう一方の冷気は、冷気通路３５を通り、第２の区画壁１８内に設けた吐出孔１８ａに流入し、一方は第２の区画壁１８に取り付けられた仕切り板２９の第１の吐出孔２９ａから相対向する自動製氷装置２３の上板２６に設けた突出リブ片２６ｄに誘導されるように側壁２６ｂの各導入孔２６ｃから製氷皿２５の上面に冷気が送風される。
【００３９】
その時上板２６から設けた冷気防止リブ２６ｇは近傍に位置する給水パイプ３１の先端に直接冷気があたらないようにするための遮蔽リブである。一方第２の区画壁１８に取り入れられた冷気は、仕切り板２９の下方に設けた第２の吐出孔２９ｂより貯氷箱２７と下部容器３０の間に吐出され製氷室２０内を循環し、その後第２の区画壁１８に設けた吸込み孔１８ｂを通過し、冷凍室１９内に戻り前板３２の吸い込み穴３７から冷却器３３へ帰還する。
【００４０】
以上のような構成によると、自動製氷装置２３への冷気の取り入れが横風路の為、冷蔵庫の奥行寸法Ａが減じられ、実施例の場合Ａ寸法は４６７ｍｍであり冷蔵庫の奥行寸法を浅くでき、食器棚やシステムキッチン設置されても、隣に設置された食器棚や流し台の前面より前に飛び出すことのない冷蔵庫が提供できる。
【００４１】
また、製氷皿２５への冷気取り入れが横方向から製氷皿２５全奥行に対し、均一に冷気を注ぐ為、製氷スピード向上と、製氷のバラツキがなくなる。更に第２の区画壁１８から導入した冷気が仕切り板２９から上下に吐出される為、製氷室２０内は、温度ムラのない適切な温度に維持できる効果がある。
【００４２】
（実施の形態２）
図９は、本発明の実施の形態２による自動製氷装置付き冷蔵庫の正面図である。
【００４３】
４０は冷蔵室１６の隣に設けられた貯蔵室である。前記貯蔵室４０は、本実施の形態の場合ボトル室となっており、庫内温度は５±２．５度に冷やされている。以下ボトル室４０とする。冷蔵室１６の下部には野菜室４１が備えられている。
【００４４】
図９のように、４２は前記ボトル室４０と前記冷蔵室１６、前記野菜室４１を区画する第２の仕切り板である。４３は前記第２の仕切り板４２内に備えられた第３の冷気通路である。４３ａは第３の吸入孔である。４３ｂは第３の吐出孔である。
【００４５】
４４は、第２の送風ファンで、４５は前記第２の送風ファン４４の下部に備えられた第２の冷却器である。
【００４６】
前記第３の吸入孔４３ａは、前記第２の仕切り板４２に備えられ、前記第２の冷却器４５よりも上方に位置する。前記第２の仕切り板４２内を、第３の冷気通路４３が設けられ、ボトル室４０に連通して前記第３の吐出孔４３ｂがある。
【００４７】
４６ａは前記第２の仕切り板４２の下部に備えられた第４の吸入孔であり、第４の冷気通路４６を通って第４の吐出孔４６ｂから前記野菜室４１の下部側面に連通している。
【００４８】
以上のように構成された自動製氷装置付き冷蔵庫について以下その動作を説明する。
【００４９】
前記冷蔵室１６の後方に備えられた前記第２の冷却器４５から第２の送風ファン４４によって冷気が冷蔵室１６とボトル室４０に連通する冷気通路に分配される。
【００５０】
ボトル室４０へは第２の送風ファン４４により冷気が前記第３の吸入孔４３ａから第３の冷気通路４３を通って第２の吐出孔４３ｂから吐出され、室内を循環して、所定温度に冷却される。
【００５１】
循環した冷気は前記第３の吸入孔４６ａから前記第４の冷気通路４６を通って、前記第３の吐出孔４６ｂより野菜室４１に導かれ野菜収納容器（図示しない）の外周を間接的に冷却した後、野菜室４１の奥面上部に形成された戻り孔（図示しない）より第２の冷却器４５に戻る。
【００５２】
ボトル室４０後方に風路を形成しないので、ボトル室４０の内容積を奥行き方向に広げることができ、収納量を増やすことができる。
【００５３】
また前記第２の吸入孔４３ａは、第２の冷却器４５より上方にあるので、第２の送風ファン４４によってボトル室４０に冷気を循環させやすい。このためボトル室４０を所定温度に冷却することが容易にできる。
【００５４】
またボトル室４０の下部に第４の吸入孔４６ａを備えたので、室内を万遍なく冷気が循環するので、温度バラツキを小さくして冷やすことができる。
【００５５】
【発明の効果】
以上に説明したように請求項１に記載の発明は、冷蔵室の下方で冷凍室と製氷室とに区画する第２の区画壁に自動製氷装置の上板の側壁に設けた導入孔に相対向した位置に仕切板より第１の吐出孔を設け、且つもう一方製氷室内の貯氷箱と、その下の容器との間へ冷気を吐出する第２の吐出孔を仕切板より一体に設けたことにより、製氷時間を短縮することができ、使い勝手がよいとともに、製氷室内を上下からの冷気で適切に循環され室内の温度ムラのない適切な温度に維持できる。
【００５８】
また、請求項２に記載の発明は、請求項１に記載の発明において、自動製氷装置の上板の側壁に設けた穴の下部に冷気を誘導させる突出リブ片を上板から一体に形成したもので、冷気を適切に製氷皿へ送ることができるので常に適切な循環量を維持できる。
【００６０】
また、請求項３に記載の発明は、請求項１または２に記載の発明において、自動製氷装置内において製氷皿に水を注ぐ給水パイプを前記上板の上方後部に配設し、その近傍にパイプ先端への風当たり防止リブを上板から一体に設けたので、上板の側壁穴より導入した冷気が直接給水パイプ先端に当たらないのでパイプ先端の氷結及び凍結を防止することができる。
【図面の簡単な説明】
【図１】本発明による冷蔵庫の実施の形態１の自動製氷装置付き冷蔵庫の斜視図
【図２】同実施の形態１の自動製氷装置の分解斜視図
【図３】同実施の形態１の自動製氷装置付き冷蔵庫の正面図
【図４】図３のＢ−Ｂ線断面図
【図５】図３のＣ−Ｃ線断面図
【図６】同実施の形態１の蓋体と自動製氷装置を示す側面図
【図７】図３のＤ−Ｄ線断面図
【図８】図７のＥ−Ｅ線断面図
【図９】本発明による冷蔵庫の実施の形態２の正面図
【図１０】従来の製氷装置付き冷蔵庫の縦断面図
【図１１】従来の自動製氷装置の分解斜視図
【符号の説明】
１４  冷蔵庫本体
１５  第１の区画壁
１６  冷蔵室
１８  第２の区画壁
１９  冷凍室
２０  製氷室
２１、２２  引出し扉
２３  自動製氷装置
２５  製氷皿
２６  上板
２６ｂ  側壁
２６ｃ  導入孔
２６ｄ  突出リブ片
２６ｇ  冷気当たり防止リブ
２７  貯氷箱
２９  仕切り板
２９ａ  第１の吐出孔
２９ｂ  第２の吐出孔
３０  下部容器
３１  給水パイプ
３３  冷却器
３５ａ  第１の冷気通路
３５ｂ  第２の冷気通路
４０  貯蔵室（ボトル室）
４２  第２の仕切り板
４３  第３の冷気通路
４３ａ  第３の吸入孔
４３ｂ  第３の吐出孔
４５  第２の冷却器
４６  第４の冷気通路
４６ａ  第４の吸入孔
４６ｂ  第４の吐出孔
【図１】
0003563671.tif 000002
【図２】
0003563671.tif 000003
【図３】
0003563671.tif 000004
【図４】
0003563671.tif 000005
【図５】
0003563671.tif 000006
【図６】
0003563671.tif 000007
【図７】
0003563671.tif 000008
【図８】
0003563671.tif 000009
【図９】
0003563671.tif 000010
【図１０】
0003563671.tif 000011
【図１１】
0003563671.tif 000012